(57)【要約】【課題】通信メモリカードに関する機能に係る操作性を向上させることを目的とする。【解決手段】無線通信機能を有する記録媒体を着脱可能な情報処理装置であって、記録媒体の着脱を検出する検出手段と、無線通信機能に関する設定要求の入力を受け付ける受付手段と、記録媒体の装着が検出された場合に、無線通信機能の設定要求の入力を有効に設定し、その後、設定要求に係る設定に失敗した場合に、設定要求の入力を無効に設定する管理手段と、設定要求の入力が有効か無効かを識別可能に、設定要求の入力を受け付ける受付画面を表示する表示手段とを有し、管理手段は、記録媒体が外されたことが検出された場合に、設定要求の入力を有効に設定することを特徴とする。【選択図】図１
2016122911.tif 000002
【特許請求の範囲】
【請求項１】
無線通信機能を有する記録媒体を着脱可能な情報処理装置であって、
前記記録媒体の着脱を検出する検出手段と、
前記無線通信機能に関する設定要求の入力を受け付ける受付手段と、
前記記録媒体の装着が検出された場合に、前記無線通信機能の設定要求の入力を有効に設定し、その後、前記設定要求に係る設定に失敗した場合に、前記設定要求の入力を無効に設定する管理手段と、
前記設定要求の入力が有効か無効かを識別可能に、前記設定要求の入力を受け付ける受付画面を表示する表示手段と
を有し、
前記管理手段は、前記記録媒体が外されたことが検出された場合に、前記設定要求の入力を有効に設定することを特徴とする情報処理装置。
【請求項２】
前記表示手段は、前記設定要求の入力が有効に設定されている場合に、前記設定要求の入力を受け付ける、第１の受付画像を含む前記受付画像を表示し、前記設定要求の入力が無効に設定されている場合に、前記第１の受付画像に替えて、前記第１の受付画像をグレーアウトした第２の受付画像を含む前記受付画像を表示することを特徴とする請求項１に記載の情報処理装置。
【請求項３】
前記表示手段は、前記設定要求の入力が有効に設定されている場合に、前記設定要求の入力を受け付ける受付画像を含む前記受付画像を表示し、前記設定要求の入力が無効に設定されている場合に、前記受付画像を含まない前記受付画像を表示することを特徴とする請求項１に記載の情報処理装置。
【請求項４】
前記受付手段は、無線通信の開始又は終了の設定要求を受け付けることを特徴とする請求項１乃至３何れか１項に記載の情報処理装置。
【請求項５】
前記無線通信機能を利用した無線通信により、前記記録媒体から情報を受信する受信手段をさらに有することを特徴とする請求項１乃至４何れか１項に記載の情報処理装置。
【請求項６】
無線通信機能を有する記録媒体を着脱可能な情報処理装置が実行する情報処理方法であって、
前記記録媒体の着脱を検出する検出ステップと、
前記無線通信機能に関する設定要求の入力を受け付ける受付ステップと、
前記記録媒体の装着が検出された場合に、前記無線通信機能の設定要求の入力を有効に設定し、その後、前記設定要求に係る設定に失敗した場合に、前記設定要求の入力を無効に設定する第１の管理ステップと、
前記設定要求の入力が有効か無効かを識別可能に、前記設定要求の入力を受け付ける受付画面を表示する表示ステップと、
前記記録媒体が外されたことが検出された場合に、前記設定要求の入力を有効に設定する第２の管理ステップと
を含むことを特徴とする情報処理方法。
【請求項７】
無線通信機能を有する記録媒体を着脱可能なコンピュータに、
前記記録媒体の着脱を検出する検出ステップと、
前記無線通信機能に関する設定要求の入力を受け付ける受付ステップと、
前記記録媒体の装着が検出された場合に、前記無線通信機能の設定要求の入力を有効に設定し、その後、前記設定要求に係る設定に失敗した場合に、前記設定要求の入力を無効に設定する第１の管理ステップと、
前記設定要求の入力が有効か無効かを識別可能に、前記設定要求の入力を受け付ける受付画面を表示する表示ステップと、
前記記録媒体が外されたことが検出された場合に、前記設定要求の入力を有効に設定する第２の管理ステップと
を実行させるためのプログラム。
【発明の詳細な説明】
【技術分野】
【０００１】
本発明は、情報処理装置、情報処理方法及びプログラムに関する。
【背景技術】
【０００２】
一般に、デジタルカメラの記録媒体として無線通信機能を備えたメモリカード（以下、通信メモリカード）が知られている。通信メモリカードの中には、アクセスポイントとして起動し、接続された外部装置へ無線通信を通してカードのメモリ領域へ記録したファイルを公開し、外部装置から要求があればファイルを転送するメモリカードもある。また特許文献１には、通信メモリカードが装着された場合には、無線通信機能の設定に関わる操作メニューを有効化し、無線通信機能を持たない記録媒体が装着された場合には、操作メニューを無効化する技術が開示されている。
【先行技術文献】
【特許文献】
【０００３】
【特許文献１】特開２０１１−１２８９１０号公報
【発明の概要】
【発明が解決しようとする課題】
【０００４】
しかしながら、従来技術においては、無線通信機能の設定に関わる操作メニューにて設定変更要求を通信メモリカードに送信した際に、何らかの理由で要求が失敗した場合の対応が考慮されていない。
【０００５】
本発明はこのような問題点に鑑みなされたもので、通信メモリカードに関する機能に係る操作性を向上させることを目的とする。
【課題を解決するための手段】
【０００６】
そこで、本発明は、無線通信機能を有する記録媒体を着脱可能な情報処理装置であって、前記記録媒体の着脱を検出する検出手段と、前記無線通信機能に関する設定要求の入力を受け付ける受付手段と、前記記録媒体の装着が検出された場合に、前記無線通信機能の設定要求の入力を有効に設定し、その後、前記設定要求に係る設定に失敗した場合に、前記設定要求の入力を無効に設定する管理手段と、前記設定要求の入力が有効か無効かを識別可能に、前記設定要求の入力を受け付ける受付画面を表示する表示手段とを有し、前記管理手段は、前記記録媒体が外されたことが検出された場合に、前記設定要求の入力を有効に設定することを特徴とする。
【発明の効果】
【０００７】
本発明によれば、通信メモリカードに関する機能に係る操作性を向上させることができる。
【図面の簡単な説明】
【０００８】
【図１】デジタルカメラ及び通信メモリカードを示す図である。
【図２】操作メニュー画面の一例を示す図である。
【図３】設定管理処理を示すフローチャートである。
【発明を実施するための形態】
【０００９】
以下、本発明の実施形態について図面に基づいて説明する。
【００１０】
本実施形態においては、無線通信機能を有する記録媒体を着脱可能な情報処理装置の一例としてのデジタルカメラ１００について説明する。本実施形態に係るデジタルカメラ１００は、無線通信機能を有する記録媒体だけでなく、自動転送機能等の無線通信機能を有さない記録媒体も装着可能なメモリスロットを有している。なお、以下、無線通信機能を有する記録媒体を通信メモリカード、無線通信機能を有さない記録媒体を、一般メモリカードと称することとする。また、無線通信機能の有無を区別しない記録媒体を、メモリカードと称することとする。デジタルカメラ１００は、装着されているメモリカードの種類（通信メモリカード又は一般メモリカード）に応じて、無線通信機能設定のためのメニュー表示画面の表示状態を制御する。
【００１１】
図１は、デジタルカメラ１００及び通信メモリカード１６０を示す図である。なお、図１においては、デジタルカメラ１００に、通信メモリカード１６０が装着されている場合を例に示すが、前述の通り、デジタルカメラ１００は、一般メモリカードも装着可能である。撮影部１１０は、不図示の撮像素子及び光学系を有し、光学系により撮像素子の撮像面に形成された光学像を電気信号に変換し、画像データを得ることにより撮影を行う。画像ファイル作成部１２０は、撮影部１１０で撮影された画像を画像ファイル化する。
【００１２】
カード制御部１３０は、画像ファイル作成部１２０で作成された画像ファイルをメモリカードへ書き込む。カード制御部１３０において、カード検出部１３１は、メモリスロットへのカードの装着を検出する。カード検出部１３１はまた、メモリカードの情報を取得するコマンドを、装着されているメモリカードに対して送信する。カード検出部１３１はまた、受信した情報を基に装着されているメモリカードの種別を検出する。ファイル制御部１３２は、メモリカードへのデータの書き込みを行うときに作成するファイルを制御する。無線機能制御部１３３は、メモリカードが装着された場合に、メモリカードの無線通信機能の有効・無効の設定を切り替える。無線機能制御部１３３は、後述のカードコントローラ１６２に制御コマンドを送信することで、無線通信機能の有効・無効の設定を切り替える。
【００１３】
システムコントローラ１４０は、ＣＰＵ等であり、ＲＯＭ１４１及びＲＡＭ１４２と接続し、ＲＯＭ１４１に格納された制御プログラムに従って、デジタルカメラ１００における各種処理を実行する。表示部１５０は、例えば液晶表示器により構成され、システム情報の表示、記録されている画像の再生画像の表示、無線機能設定に関するメニューの表示等、各種情報を表示する。ユーザは、不図示の操作部と表示部１５０に表示された操作用のメニューを用いて各種操作の入力を行い、システムコントローラ１４０へ命令を伝えることができる。
【００１４】
通信メモリカード１６０は、ＮＡＮＤ型フラッシュメモリ素子１６１、カードコントローラ１６２及びＲＦ回路１６６を具備する。カードコントローラ１６２は、ホストであるデジタルカメラ１００のカード制御部１３０から書き込みコマンドを受け付けると、記憶素子であるＮＡＮＤ型フラッシュメモリ素子１６１へ画像ファイルを書き込む。また、カードコントローラ１６２は、定期的に書き込まれたファイルを監視する。カードコントローラ１６２は、無線機能制御部１３３から無線通信機能の有効制御コマンドを受信した場合、ＲＦ回路１６６を通して、アクセスポイントとして電波を発し、外部の記憶装置へ無線通信を介して画像ファイルの転送を行う。本実施形態における通信メモリカード１６０は、デジタルカメラ１００の制御とは独立に無線通信を制御することが可能である。したがって、通信メモリカード１６０は、デジタルカメラ１００の指示等を受けなくとも、自身の制御により、外部装置との無線通信を行うことができる。通信メモリカード１６０は、デジタルカメラ１００とのコマンドの送受信は可能であるため、特定の機能をデジタルカメラ１００から制御するようデジタルカメラ１００を実装することも可能である。
【００１５】
カードコントローラ１６２は、プロセッサ１６３、ＲＯＭ１６４、ＲＡＭ１６５を有し、プロセッサ１６３がＲＯＭ１６４に格納された各種プログラムを実行することにより、通信メモリカード１６０における各処理が実行される。なお、デジタルカメラ１００の制御は、１つのハードウェアが行ってもよいし、複数のハードウェアが処理を分担することで、装置全体の制御を行ってもよい。通信メモリカード１６０の制御も同様である。
【００１６】
図２は、表示部１５０に表示される、操作メニュー画面の一例を示す図である。ここで、操作メニュー画面は、各種機能に対する設定要求の入力を受け付けるための受付画面の一例である。本実施形態に係るデジタルカメラ１００は、このような操作メニュー画面を利用した操作環境をユーザに提供する。図２（ａ）は、デジタルカメラ１００の起動後、通信メモリカード１６０が装着される前の操作メニュー画面２００を示す図である。図２（ａ）に示す操作メニュー画面２００には、ユーザから、デジタルカメラ１００の機能に関する設定要求を受け付けるための受付画像として、「Ｆｕｎｃ．Ａ」を示すアイコン２１０と、「Ｆｕｎｃ．Ｂ」を示すアイコン２１１と、が表示されている。図２（ｂ）は、デジタルカメラ１００に通信メモリカード１６０が装着された後に表示される操作メニュー画面２００を示す図である。図２（ｂ）に示す操作メニュー画面２００には、アイコン２１０，２１１に加えて、通信メモリカード１６０の無線通信機能に関する設定要求の入力を受け付けるための受付画像として、「カードの無線機能」を示すアイコン２２０が表示されている。
【００１７】
図２（ｂ）に示す操作メニュー画面２００において、アイコン２２０が選択されると、表示部１５０には、図２（ｃ）に示す無線機能画面２３０が表示される。無線機能画面２３０には、無線通信機能のオンの設定要求の入力を受け付けるための受付画像として、「ＯＮ」を示すアイコン２４０が表示されている。無線機能画面２３０には、さらに無線通信機能のオフの設定要求の入力を受け付けるための受付画像として、「ＯＦＦ」を示すアイコン２４１が表示されている。ユーザは、いずれかのアイコン２４０，２４１を選択することにより、無線通信機能のオンオフの設定要求を入力することができる。アイコン２４０，２４１が選択された場合、選択されたアイコン２４０，２４１に応じた制御コマンドがデジタルカメラ１００から通信メモリカード１６０へ送信される。「ＯＦＦ」のアイコン２４１が選択され、無線通信機能がオフに設定された場合には、無線機能制御部１３３は、通信メモリカード１６０からの一切の電波の発射を禁止するモードへと移行する。従って、デジタルカメラ１００及び通信メモリカード１６０を使用するユーザは、電波の発射を禁止している場所では、ユーザ操作により、無線通信機能をオフに設定することができる。
【００１８】
図２（ｄ）は、無線機能制御部１３３が通信メモリカード１６０への無線通信機能の制御コマンドの送信を失敗した場合に表示される操作メニュー画面２００を示す図である。図２（ｄ）に示す操作メニュー画面２００においては、「カードの無線機能」を示すアイコン（受付画像）は、図２（ｂ）に示すアイコン２２０からアイコン２２１に変更されている。ここで、アイコン２２１は、アイコン２２０をグレーアウトした画像である。以下、アイコン２２０を通常アイコン２２０、アイコン２２１をグレーアウトアイコン２２１と称する。
【００１９】
本実施形態に係るデジタルカメラ１００は、無線通信機能の設定要求の入力が有効に設定されている場合には、図２（ｂ）に示すように無線通信機能に係る、通常アイコン２２０を表示する。一方で、デジタルカメラ１００は、上述のように、制御コマンドの送信に失敗した場合には、無線通信機能の設定要求の入力を無効に設定し、図２（ｄ）に示すように通常アイコン２２０をグレーアウトした、グレーアウトアイコン２２１を表示する。このように、デジタルカメラ１００は、無線通信機能の設定要求の入力を受け付けるためのアイコンの表示態様により、無線通信機能の設定要求の入力が有効か無効かを識別可能にした操作メニュー画面２００を表示する。ここで、無線通信機能の設定要求の入力が有効に設定されている場合とは、無線通信機能に係る設定要求の入力を受け付け、入力された設定要求に応じた設定を行うことができる場合である。また、無線通信機能の設定要求の入力が無効に設定されている場合とは、無線通信機能に係る設定要求の入力を受け付けることができない場合である。
【００２０】
デジタルカメラ１００は、このように、無線通信機能に関するアイコンを、無線通信機能の設定要求の入力の有効無効の設定に応じて、通常表示とグレーアウト表示とに切り替えて表示する。したがって、ユーザは、アイコンの表示態様から無線通信機能の設定状態を容易に把握することができる。
【００２１】
図３は、デジタルカメラ１００による、設定管理処理を示すフローチャートである。まず、ステップＳ３００において、デジタルカメラ１００のシステムコントローラ１４０は、操作メニュー画面２００を表示する。なお、この時点では、通信メモリカード１６０の装着は検出されていないものとする。すなわち、ステップＳ３００においては、図２（ａ）にように、無線通信機能に係るアイコンを含まない操作メニュー画面２００が表示される。ステップＳ３０１において、カード検出部１３１は、メモリカードの装着を検出したか否かを判定する（検出処理）。カード検出部１３１は、装着を検出した場合（ステップＳ３０１でＹｅｓ）、処理をステップＳ３０２へ進める。カード検出部１３１は、装着を検出しなかった場合には（ステップＳ３０１でＮｏ）、設定管理処理を終了する。
【００２２】
ステップＳ３０２において、カード検出部１３１は、装着されたメモリカードから、メモリカードの種別情報を取得する。ここで、種別情報は、メモリカードの種別を示す情報である。次に、ステップＳ３０３において、システムコントローラ１４０は、種別情報に基づいて、装着されているメモリカードの種別を特定する。システムコントローラ１４０は、メモリカードの種別が通信メモリカードである場合に（ステップＳ３０３でＹｅｓ）、処理をステップＳ３０４へ進める。システムコントローラ１４０は、メモリカードの種別が通信メモリカードでない場合は（ステップＳ３０３でＮｏ）、設定管理処理を終了する。
【００２３】
ステップＳ３０４において、システムコントローラ１４０は、通信メモリカード１６０の無線通信機能の設定要求の入力を有効に設定する（管理処理）。次に、ステップＳ３０５において、システムコントローラ１４０は、無線通信機能に係るアイコンを追加表示する。このとき、無線通信機能に関する入力が有効に設定されている。したがって、ステップＳ３０５において、システムコントローラ１４０は、図２（ｂ）に示すように、無線通信機能に係る、通常アイコン２２０を追加表示する。次に、ステップＳ３０６において、システムコントローラ１４０は、無線通信機能の設定を切り替えるための設定要求を受け付けたか否かを判定する。操作メニュー画面２００において、アイコン２２０が選択され、無線機能画面２３０が表示され、「ＯＮ」又は「ＯＦＦ」のアイコン２４０，２４１のいずれかが選択された場合に、システムコントローラ１４０は、設定要求を受け付ける。なお、システムコントローラ１４０は、「ＯＮ」のアイコン２４０が選択された場合には、無線通信開始の設定要求を受け付け、「ＯＦＦ」のアイコン２４１が選択された場合には、無線通信終了の設定要求を受け付ける（受付処理）。システムコントローラ１４０は、設定要求を受け付けた場合には（ステップＳ３０６でＹｅｓ）、処理をステップＳ３０７へ進める。システムコントローラ１４０は、設定要求を受け付けなかった場合には（ステップＳ３０６でＮｏ）、処理をステップＳ３１１へ進める。
【００２４】
ステップＳ３０７において、無線機能制御部１３３は、無線通信機能の制御コマンドを通信メモリカード１６０に送信する。ステップＳ３０７において送信される制御コマンドは、ステップＳ３０６において受け付けた設定要求に対応するものである。すなわち、無線通信の開始の設定要求を受け付けた場合に送信される制御コマンドは、無線通信開始に係る制御コマンドであり、無線通信の終了の設定要求を受け付けた場合に送信される制御コマンドは、無線通信終了に係る制御コマンドである。次に、ステップＳ３０８において、システムコントローラ１４０は、カードコントローラ１６２からのレスポンス情報に基づいて、制御コマンドの送信に成功したか否かを判定する。システムコントローラ１４０は、送信に成功した場合には（ステップＳ３０８でＹｅｓ）、処理をＳ３１１へ進める。システムコントローラ１４０は、送信に失敗した場合、すなわち、設定要求に対応する、無線通信機能の設定に失敗した場合には（ステップＳ３０８でＮｏ）、処理をＳ３０９へ進める。
【００２５】
ステップＳ３０９において、システムコントローラ１４０は、通信メモリカード１６０の無線通信機能の設定要求の入力を無効に設定する（管理処理）。次に、ステップＳ３１０において、システムコントローラ１４０は、無線通信機能に係るアイコンを、図２（ｂ）に示す通常アイコン２２０から図２（ｄ）に示すグレーアウトアイコン２２１に変更する。すなわち、システムコントローラ１４０は、図２（ｄ）に示す操作メニュー画面２００を表示する。このように、無線通信機能に係るアイコンがグレーアウト表示されることにより、ユーザは、無線通信機能に関する設定変更を行えないことを把握することができる。したがって、ユーザが制御コマンドの送信に失敗したことを知ることができないために、設定要求を入力するための操作を続けたり、設定要求に対応する設定が反映されるまで待ち続けたりするといった事態を防ぐことができる。これにより、ステップＳ３０７での制御コマンドが失敗した場合に、ユーザは失敗したかどうかがわからず、無線機能設定メニューを変更し続けたり、変更が反映されるまで待ち続けたりするということを防ぐことができる。
【００２６】
次に、ステップＳ３１１において、カード検出部１３１は、通信メモリカード１６０の装着が継続しているか否かを判定する。カード検出部１３１は、装着が継続中の場合には（ステップＳ３１１でＹｅｓ）、処理をステップＳ３０６へ進める。カード検出部１３１は、メモリカードが外された場合には（ステップＳ３１１でＮｏ）、処理をステップＳ３１２へ進める。ステップＳ３１２において、システムコントローラ１４０は、通信メモリカード１６０の無線通信機能の設定要求の入力を有効に設定する（管理処理）。次に、ステップＳ３１３において、システムコントローラ１４０は、無線通信機能に関する通常アイコン２２０を含む操作メニュー画面２００、すなわち図２（ｂ）に示す操作メニュー画面２００を表示し、設定管理処理を終了する。
【００２７】
このように、デジタルカメラ１００は、メモリカードが取り外された場合には、無線通信機能の設定要求の入力を有効に設定する。これは、次に通信メモリカード１６０が装着された場合には、制御コマンドの送信に成功する可能性があるため、制御コマンドの送信に先立ち、事前にメニュー設定をしておくためのものである。また、デジタルカメラ１００が、病院などの無線をオフすべき場所に移動された場合には、通信メモリカードの装着と同時に無線通信機能をオフすることが望ましい。そこでステップＳ３１３において無線通信機能を予めオフに設定しておくと、通信メモリカードを装着した直後に、通信メモリカード１６０の電波の発射を禁止させることができる。このようにすることで、無線が禁止された場所であっても、通信メモリカード１６０を単なるメモリカードとして使用することが可能となる。上記の理由により、本実施形態におけるデジタルカメラ１００は、通信メモリカード１６０が取り外された後のステップＳ３１３において、無線通信機能に関する設定を有効にしている。なお、デジタルカメラ１００は、操作メニュー画面の状態を保持するためのメモリ機能は、無線機能制御部１３３内部に持ち、デジタルカメラ１００の電源オフを経由しても、メモリ機能は揮発しない構成とする。
【００２８】
以上のように、本実施形態に係るデジタルカメラ１００は、無線通信機能の設定要求の有効無効の設定に応じて、無線通信機能に係るアイコンの表示状態を切り替える。さらに、デジタルカメラ１００は、メモリカードが取り外された場合には、無線通信機能の設定要求を有効に設定し、有効の設定に対応する、無線通信機能に係るアイコンが表示された、操作メニュー画面を表示する。これにより、デジタルカメラ１００は、通信メモリカードに関する機能に係る、ユーザによる操作性を向上させることができる。
【００２９】
本実施形態に係るデジタルカメラ１００の第１の変更例について説明する。デジタルカメラ１００は、無線通信機能の設定要求の入力の有効無効をユーザが識別可能な操作メニュー画面（受付画面）を表示すればよく、そのための表示内容は実施形態に限定されるものではない。デジタルカメラ１００は、例えば、設定要求の入力が有効に設定されている場合には、無線通信機能に関するアイコンを表示し、設定要求の入力が無効に設定されている場合には、無線通信機能に関するアイコンを非表示としてもよい。すなわち、デジタルカメラ１００は、設定要求の入力が有効に設定されている場合には、無線通信機能に関するアイコン（受付画像）を含む操作メニュー画面を表示する。そして、デジタルカメラ１００は、設定要求の入力が無効に設定されている場合には、無線通信機能に関するアイコンを含まない操作メニュー画面を表示する。
【００３０】
また、第２の変更例としては、デジタルカメラ１００は、電波の発射を禁止する設定で起動するのをデフォルトの動作としてもよい。デジタルカメラ１００に初めて通信メモリカード１６０が装着される場所が、電波発射を禁止している場所である可能性があるが、デジタルカメラ１００は、このような場所に適した起動動作を行うことができる。さらにこの場合、デジタルカメラ１００は、無線通信機能をオンにするためのメニュー画面が即座に立ち上がるように構成してもよい。
【００３１】
以上、上述した各実施形態によれば、通信メモリカードに関する機能に係る操作性を向上させることができる。
【００３２】
＜その他の実施形態＞
以上、本発明に係る好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。また、上述の第１の実施形態の機能を実現するソフトウェアのプログラムを、記憶媒体から直接、或いは有線／無線通信を用いてプログラムを実行可能なコンピュータを有するシステム又は装置に供給し、そのプログラムを実行する場合も本発明に含む。従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。その場合、プログラムの機能を有していれば、オブジェクトコード、インタプリタにより実行されるプログラム、ＯＳに供給するスクリプトデータ等、プログラムの形態を問わない。
【００３３】
プログラムを供給するための記憶媒体としては、例えば、ハードディスク、磁気テープ等の磁気記憶媒体、光／光磁気記憶媒体、不揮発性の半導体メモリでもよい。また、プログラムの供給方法としては、コンピュータネットワーク上のサーバーに本発明を形成するコンピュータプログラムを記憶し、接続のあったクライアントコンピュータがコンピュータプログラムをダウンロードしてプログラムするような方法も考えられる。
【００３４】
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００３５】
１００  デジタルカメラ
１３０  カード制御部
１４０  システムコントローラ
１６０  通信メモリカード
【図１】
2016122911.tif 000003
【図２】
2016122911.tif 000004
【図３】
2016122911.tif 000005